(57)【要約】【課題】画像情報の複写を禁止またはけん制するために使用する複写けん制情報を、複写機が確実に認識できるように形成する。【解決手段】印刷すべき画像情報の重要度に応じて、複写を禁止またはけん制するために使用する複写けん制情報の数、位置、及び形状等を異ならせて印刷する。例えば、比較的重要度が高い場合には、記録紙８０の周囲四辺の内側近傍にそれぞれ複数の複写けん制情報７０を印刷する。この場合、記録紙８０を複写機で複写しようとするときに、複写機ではいずれの方向からスキャンしてもただちに複写けん制情報７０が付与されていることを認識できる。また、記録紙８０の各辺には、それぞれ３つの複写けん制情報７０が付与されているため、いずれかの複写けん制情報７０にごみ等の異物や汚れが付着してしまったような場合でも、複写機では確実に複写けん制情報７０を認識することができる。【選択図】図７
2006287868.tif 000002
【特許請求の範囲】
【請求項１】
被画像形成体に形成された画像情報の複写を禁止またはけん制するために使用する複写けん制情報を、前記画像情報の形成時に該画像情報とともに被画像形成体に形成可能とした画像形成装置であって、該画像形成装置は、前記画像情報の重要度に応じて、前記被画像形成体に形成する前記複写けん制情報の数、位置、及び形状のいずれかまたは複数を異ならせることを特徴とする画像形成装置。
【請求項２】
請求項１に記載の画像形成装置において、該画像形成装置は、前記画像情報の重要度に応じた前記複写けん制情報の数、位置、及び形状に関わる情報を保持しておき、前記画像情報を形成する際に前記画像情報の重要度情報を受け取り、該受け取った重要度情報に従って前記被画像形成体に形成する複写けん制情報の数、位置、及び形状を決定することを特徴とする画像形成装置。
【請求項３】
請求項１または２に記載の画像形成装置において、前記重要度が相対的に高い画像情報に対しては、前記複写けん制情報を、矩形の前記被画像形成体の４辺内側近傍に配置することを特徴とする画像形成装置。
【請求項４】
請求項１または２に記載の画像形成装置において、前記重要度が相対的に高い画像情報に対しては、前記複写けん制情報を、矩形の前記被画像形成体の４角内側近傍に配置することを特徴とする画像形成装置。
【請求項５】
請求項１ないし４のいずれか１に記載の画像形成装置において、該画像形成装置は複写装置としての機能を有し、前記複写けん制情報が形成された被画像形成体を使用して、該被画像形成体に形成された画像情報を複写しようとしたときに、該複写けん制情報を読みとることによって該画像情報の複写を禁止することを特徴とする画像形成装置。
【請求項６】
請求項１ないし４のいずれか１に記載の画像形成装置において、該画像形成装置は複写装置としての機能を有し、前記複写けん制情報が形成された被画像形成体を使用して、該被画像形成体に形成された画像情報を複写しようとしたときに、該複写けん制情報を読みとることによって該画像情報が複写が禁止または制限されていることを使用者に警告する複写警告情報を前記画像情報に重ねて複写画像を形成することを特徴とする画像形成装置。
【発明の詳細な説明】
【技術分野】
【０００１】
本発明は、画像形成装置に関し、より詳細には、画像情報を画像形成する際にその画像情報の複写を禁止またはけん制するための複写けん制情報を付与可能とした画像形成装置に関する。
【背景技術】
【０００２】
印刷原稿の不正な複写を防止するために、原稿を印刷する際に地紋などの複写けん制情報を付与する手法が用いられている。
例えば、ＰＣ等で動くアプリケーションからプリンタに画像データを送り、プリンタにて画像データを印刷出力するときに、印刷画像の複写をけん制するための複写けん制情報を上記画像データとともにプリンタに送ることにより、プリンタでは、印刷画像のどこかにその複写けん制情報を埋め込んで印刷出力させるようにする。
そして、その複写けん制情報が埋め込まれた印刷画像を、複写機を用いて複写しようとすると、その複写けん制情報を検出した複写機が、複写印刷を出力しないようにしたり、あるいは、“コピー禁止”等の文字を印刷して出力する、等の動作を行うようにする。
【０００３】
上記のような複写けん制情報は、ユーザが識別できない形状で印刷画像に埋め込まれている場合や、ユーザが複写けん制情報であることを識別できる形状で印刷画像に埋め込まれている場合がある。
しかしながら、いずれにしても、複写機がこれら複写けん制情報が埋め込まれた画像情報を複写するときに、複写けん制情報が存在していることを検出し、その検出結果に従って、予め定められた処理、例えば、上述のように複写自体を停止したり、“コピー禁止”等の文字を入れて複写画像を出力する処理を行う。
【０００４】
上記のようなコピーを禁止するための技術に関し、例えば特許文献１には、非対称公開鍵方式に基づく公開鍵を、複写動作時に紙媒体上に人間の視覚には目立ちにくい形で埋め込むことにより、複写物を見ること自体はできるが、その複写物をさらに複写しようとする際には、埋め込まれた公開鍵に対応する秘密鍵がなければ複写できないようにした画像処理装置が開示されている。
【０００５】
また特許文献２には、原稿に対する画像データに、その原稿の機密レベルを埋め込むことにより、不正出力を防止するようにした画像処理装置が開示されている。ここでは、原稿に対する機密レベルを利用者が適宜設定することができる。
【特許文献１】特開平１１−２１５３５１号公報
【特許文献２】特開平１１―３５５５５７号公報
【発明の開示】
【発明が解決しようとする課題】
【０００６】
上記のような、複写けん制情報を印刷画像に埋め込んで印刷出力を行うシステムでは、印刷画像の重要度に関係なく一律に複写けん制情報が埋め込まれて印刷される。
このようなシステムでは、印刷原稿に落書きがあったり、原稿の複写けん制情報上にゴミや異物等が付着した場合に、複写機において確実に複写けん制情報を検出できなくなる、という問題が生じる。
また、このような問題に対して、複写機が確実に検出できるように、印刷画像にランダムに数多くの複写けん制情報を付与すると、その複写けん制情報により印刷画像に違和感を与えてしまう、という問題も生じる。
【０００７】
本発明は、上述のごとき実情に鑑みてなされたもので、画像情報の複写を禁止またはけん制するために使用する複写けん制情報を、複写機が確実に検出できるように形成するとともに、その複写けん制情報の数や位置および形状を、画像情報の重要度に応じて変更することによって、印刷画像に対する違和感をできるだけなくすようにした画像形成装置を提供することを目的とするものである。
【課題を解決するための手段】
【０００８】
上記課題を解決するために、第１の技術手段は、被画像形成体に形成された画像情報の複写を禁止またはけん制するために使用する複写けん制情報を、画像情報の形成時に画像情報とともに被画像形成体に形成可能とした画像形成装置であって、画像形成装置は、画像情報の重要度に応じて、被画像形成体に形成する複写けん制情報の数、位置、及び形状のいずれかまたは複数を異ならせることを特徴としたものである。
【０００９】
第２の技術手段は、第１の技術手段において、画像形成装置が、画像情報の重要度に応じた複写けん制情報の数、位置、及び形状に関わる情報を保持しておき、画像情報を形成する際に画像情報の重要度情報を受け取り、受け取った重要度情報に従って被画像形成体に形成する複写けん制情報の数、位置、及び形状を決定することを特徴としたものである。
【００１０】
第３の技術手段は、第１または第２の技術手段において、重要度が相対的に高い画像情報に対しては、複写けん制情報を、矩形の被画像形成体の４辺内側近傍に配置することを特徴としたものである。
【００１１】
第４の技術手段は、第１または第２の技術手段において、重要度が相対的に高い画像情報に対しては、複写けん制情報を、矩形の被画像形成体の４角内側近傍に配置することを特徴としたものである。
【００１２】
第５の技術手段は、第１ないし第４のいずれか１の技術手段において、画像形成装置が複写装置としての機能を有し、複写けん制情報が形成された被画像形成体を使用して、被画像形成体に形成された画像情報を複写しようとしたときに、複写けん制情報を読みとることによって画像情報の複写を禁止することを特徴としたものである。
【００１３】
第６の技術手段は、第１ないし第４のいずれか１の技術手段において、画像形成装置が複写装置としての機能を有し、複写けん制情報が形成された被画像形成体を使用して、被画像形成体に形成された画像情報を複写しようとしたときに、複写けん制情報を読みとることによって画像情報が複写が禁止または制限されていることを使用者に警告する複写警告情報を画像情報に重ねて複写画像を形成することを特徴としたものである。
【発明の効果】
【００１４】
本発明によれば、印刷しようとする原稿の画像情報の重要度に応じて複写けん制情報の付与数や形状を変化させたり、複写けん制情報を付与する位置を異ならせることで、重要な印刷物の確実な複写を防止することが可能となる。
【００１５】
例えば、印刷しようとする画像情報が重要であれば、複写けん制情報の数を多くすることで、複写時の原稿読み取り時に複写けん制情報を確実に検出できるので、複写機では、確実に所定の複写防止処理、すなわち複写そのものを禁止したり、複写画像にユーザへの警告情報を重ねて印刷出力する等の処理を実行することができる。
また、印刷しようとする画像情報の重要度が低ければ、複写けん制情報の数を少なくすることで、印刷画像に違和感を与えることを防止することができる。
【００１６】
また、記録紙の４辺や４角の部分に複写けん制情報を付与することで、複写機が印刷画像を読み取った際に、記録紙のどの方向から画像情報を読み込む場合であっても、複写機では確実にかつ迅速に複写けん制情報が存在することを検出することができ、セキュリティの向上を図ることができる。
【発明を実施するための最良の形態】
【００１７】
図１は、本発明の画像形成装置を適用可能なデジタル複写機の構成例を説明するための図である。画像形成装置１０は、スキャナ部１１と、レーザープリンタ部１２とを備えたデジタル複写機として構成されている。
【００１８】
スキャナ部１１は、透明ガラスからなる原稿載置台１５と、原稿載置台１５上へ自動的に原稿を供給搬送するための両面対応自動原稿送り装置（ＲＡＤＦ）１６と、原稿載置台１５上に載置された原稿の画像を走査して読み取るためのスキャナユニット２０とから構成されている。
【００１９】
ＲＡＤＦ１６は、図示しない原稿トレイを備え、その原稿トレイ上に一度にセットされた複数枚の原稿を、スキャナユニット２０の原稿載置台１５上へ１枚ずつ自動的に給送する。またＲＡＤＦ１６は、片面原稿のための搬送経路、両面原稿のための搬送経路、これら搬送経路を切り換える搬送経路切り換え手段、各部を通過する原稿の状態を把握し管理するセンサー群、及び制御部などから構成され、オペレーターの選択に応じて原稿の片面または両面をスキャナユニット２０で読み取らせるように動作する。
【００２０】
スキャナユニット２０は、原稿面上を露光するランプリフレクターアセンブリ２１と、光電変換素子（ＣＣＤ）２４と、原稿からの反射光像をＣＣＤ２４に導くための第１の走査ユニット２０ａ，第２の走査ユニット２０ｂ，及び光学レンズ２３とを備えている。
原稿からの反射光像は、第１の走査ユニットが備える第１の反射ミラー２２ａで反射し、さらに第２の走査ユニット２０ｂが備える第２，第３の反射ミラー２２ｂ，２２ｃで反射し、光学レンズ２３によってＣＣＤ２４に結像される。ＣＣＤ２４では、光学レンズ２３によって結像された原稿からの反射光像を電気的画像信号に変換する。
【００２１】
スキャナ部１１では、ＲＡＤＦ１６とスキャナユニット２０との関連した動作により、原稿載置台１５上に読み取るべき原稿を順次載置させながら、原稿載置台１５の下面に沿ってスキャナユニット２０を移動させて原稿画像を読み取る。
特に第１走査ユニット２０ａは、原稿載置台１５に沿って左から右へと一定速度Ｖで走行し、また第２走査ユニット２０ｂは、その速度Ｖに対してＶ／２の速度で同一方向に平行に走行するように制御される。
これにより、原稿載置台１５上に載置された原稿の画像を、１ライン毎に順次ＣＣＤ素子２４へと結像させて読み取ることができる。
【００２２】
原稿画像をスキャナユニット２０で読み取ることにより得られた画像データは、各種処理が施された後、画像メモリに一旦記憶される。そして画像形成装置１０に対する出力指示に応じて画像メモリ内の画像が読み出され、レーザープリンタ部１２に転送される。
【００２３】
レーザープリンタ部１２は、画像を形成させるための記録材であるシートの搬送系と、レーザー書き込みユニット２６と、画像を形成するための電子写真プロセス部２７とを備えている。
レーザー書き込みユニット２６は、スキャナユニット２０で読み取られて画像メモリに記憶された画像データ、または外部の装置から転送されてきた画像データに応じてレーザー光を出射する半導体レーザー光源と、レーザー光を等角速度偏向するポリゴンミラーと、等角速度で偏向されたレーザー光が電子写真プロセス部２７を構成する感光体ドラム２８上で等角速度で偏向されるように補正するｆ−θレンズとを有している。
【００２４】
上記の電子写真プロセス部２７は、周知である感光体ドラム２８の周囲に帯電器、現像器、転写器、剥離器、クリーニング器、及び除電器を備えて構成されている。
一方、上記のシートの搬送系は、電子写真プロセス部２７の特に転写器が配置された転写位置へとシートを搬送する搬送部１３と、その搬送部１３へとシートを送り込むためのカセット給紙装置３１，３２，３３と、必要なサイズのシートを適宜給紙するための手差し給紙装置３４と、転写後のシートに形成されたトナーによる画像を定着するための定着器２９と、定着後のシートの裏面に再度画像を形成するためにシートを再供給するための再供給経路３５とを備えている。
また、定着器２９の下流側には、画像が記録されたシートを受け取り、このシートに対して所定の処理を施す後処理装置１４が配置されている。
【００２５】
上記のごとくのレーザー書き込みユニット２６及び電子写真プロセス部２７において、画像メモリから読み出された画像データは、レーザー書き込みユニット２６によってレーザー光線を走査させることにより感光体ドラムの表面上に静電潜像として形成され、トナーにより可視像化されたトナー像は多段給紙ユニットのいずれかの給紙部から搬送された用紙の面上に静電転写され定着される。そして画像が形成された用紙は定着器２９から排紙ローラ３６を経由して後処理装置１４内へと搬送される。
【００２６】
図２は、本発明を適用可能な画像形成装置に備えられる機能を説明するための図で、複写機、プリンタ装置、ファクシミリ装置、スキャナ装置等の機能を備えた複合機として構成した例を示す図である。図２に示す構成は、上記図１に示すデジタル複写機に適用可能である。
【００２７】
画像形成装置１０は、演算を行うＣＰＵ及び演算に伴う一時的な情報を記憶するＲＡＭ等からなる制御部１０１を備えている。制御部１０１には、画像形成装置１０を制御するための制御プログラムを記憶しているＲＯＭ１０８、及び画像形成装置１０が行う処理を管理するための管理情報を記憶するメモリである管理部１０９が接続されている。また制御部１０１には、記録用紙に記録された画像を読み取って画像データを生成する画像読み取り部１０２が接続されている。
【００２８】
また制御部１０１には、画像データを一時的に記憶する画像メモリ１０５と、画像メモリ１０５が記憶した画像データから画像を形成して記録用紙に記録する画像形成部１０４とが接続されている。画像形成装置１０は、画像読み取り部１０２が生成した画像データを画像メモリ１０５に一旦記憶させた後、画像形成部１０４で画像を形成することができる。このようにして、画像形成装置１０は複写機として機能する。
【００２９】
また図２において、制御部１０１には、ファクシミリ通信を行うモデム部１０６が接続されており、モデム部１０６は公衆回線網Ｎ３に接続されている。画像形成装置１０は、画像読み取り部１０２が生成した画像データを、モデム部１０６に接続された公衆回線網Ｎ３を介して他のファクシミリ装置４４へファクシミリ通信にて送信することができる。また画像形成装置１０は、公衆回線網Ｎ３を介して他のファクシミリ装置４４から送信された画像データをモデム部１０６で受信し、受信した画像データから画像形成部１０４で画像を形成することができる。このようにして、画像形成装置１０はファクシミリ装置として機能する。
【００３０】
また制御部１０１には、画像形成装置１０が外部と情報を送受信するための通信部（送受信手段）１０７が接続されている。通信部１０７は、社内ＬＡＮ等の通信ネットワークＮ１に接続可能であり、通信ネットワークＮ１には１または複数のパーソナルコンピュータ４１が接続可能である。画像形成装置１０が単独で動作している通常の状態では、通信部１０７は、通信ネットワークＮ１に接続されており、通信ネットワークＮ１を介してＰＣ４１との間で情報を交換する。
【００３１】
画像形成装置１０は、画像読み取り部１０２が生成した画像データを通信部１０７からＰＣ４１へ送信することができる。このようにして、画像形成装置１０はスキャナ装置として機能する。また画像形成装置１０は、ＰＣ４１から送信された画像データを通信部１０７で受信し、受信した画像データから画像形成部１０４で画像を形成することができる。このようにして、画像形成装置１０はプリンタ装置として機能する。
【００３２】
通信ネットワークＮ１は、更にインターネット等の広域通信ネットワークＮ２に接続されている。通信部１０７は、電子メールに画像データを添付して送信するなどの方法により、広域通信ネットワークＮ２に接続された情報処理装置４２又は他のファクシミリ装置４３との間で、通信ネットワークＮ１及び広域通信ネットワークＮ２を介して画像データを受信することができる。このようにして、画像形成装置１０はインターネットファクシミリ装置として機能する。
【００３３】
また制御部１０１には、使用者からの操作を受け付ける操作部（指示受付手段）１０３が接続されている。操作部１０３は、操作のために必要な情報を表示する液晶パネル等の表示手段と、使用者の操作により制御命令などの情報が入力されるタッチパネル又はテンキー等の入力手段とからなっている。また制御部１０１には、ハードディスク又は光ディスク等からなる記憶部１１０が接続されている。記憶部１１０は、画像読み取り部１０２が生成した画像データ等の画像処理に係る画像データを記憶する。
【００３４】
図２の構成を図１のデジタル複写機に適用する場合、スキャナ部１１が上記画像読み取り部１０２に該当し、レーザープリンタ部１２が上記画像形成部１０４に該当する。すなわち、図１のスキャナ部１１で読み取られた原稿画像の画像データは、図２に示す画像メモリ１０５に記憶され、デジタル複写機に対する出力指示に応じて画像メモリ１０５から画像データが読み出されてレーザープリンタ部１２に送られる。レーザープリンタ部１２では、その画像データに従ってシート上に画像形成を行う。
【００３５】
図３は、複写けん制情報を画像情報に付与して画像形成するときの処理を概略的に説明するための図で、ＰＣ４１で作成した画像情報６１を画像形成装置に転送して印刷出力するときの処理について示すものである。
ユーザがＰＣ４１を操作して画像情報６１を印刷出力する際、ＰＣ４１に保持されているプリンタドライバの画面５０を使用して、複写けん制情報の付与に関する設定を行い、画像形成装置１０に対して画像情報の印刷出力を指示する。複写けん制情報の設定は、例えば、プリンタドライバの画面においてその画像情報の重要度を指定できるようにし、その重要度情報に従って複写けん制情報の数や位置及び形状が設定される。この重要度の設定例や複写けん制情報の具体的形状例については後述する。
【００３６】
画像形成装置１０では、ＰＣ４１から転送された画像情報６１を受信し、このときに設定されている画像情報６１の重要度に従って、所定の位置に所定の数及び形状で複写けん制情報を付与して、印刷画像６２を出力する。複写けん制情報の数や位置、及びその形状は、予め上記画像情報の重要度に応じて定めておくものとする。このとき、画像情報の重要度に応じて複写けん制情報の数、付与位置、形状のいずれかを変更するようにしてもよく、また重要度に応じてこれら複写けん制情報の数、付与位置、形状の複数を変更するようにしてもよい。
【００３７】
図４は、画像形成装置１０における複写けん制情報の付加・印刷処理について説明するための図である。ここでは、上記のようにＰＣ４１等の機器から画像形成装置１０に印刷すべき画像情報（印刷データ）が画像形成装置のＩ／Ｆ７１を介して入力する。そして、入力した印刷データをＢｕｆｆ（バッファ）７２に保持し、これを展開して印刷画像データを生成する（７３）。
【００３８】
一方、印刷すべき画像情報に指定された重要度情報に従って、印刷データに付与すべき複写けん制情報を用いて、付加画像データを生成する（７４）。生成した付加画像データは、上記の印刷画像データと合成されて（７５）、プリンタ（画像形成部）に送られ、用紙等の被画像形成体に印刷されて出力される。
【００３９】
図２の構成との関係において、上記のＩ／Ｆ７１は、図２の通信部１０７に該当し、上記Ｂｕｆｆ７２は、図２の画像メモリ１０５に該当する。また印刷画像データの展開、付加画像データの生成、及びこれらの合成は、図２の制御部１０１の制御によって画像メモリ１０５上で実行される。合成された印刷データの印刷は、図２の画像形成部１０４で実行される。
【００４０】
次に、上記のような画像形成装置で印刷動作を行わせるためのプリンタドライバによる設定画面の例を説明する。図５は、プリンタドライバの設定画面例を示す図である。
ＰＣ等を用いてユーザが画像形成装置に印刷出力を実行させる場合、プリンタドライバの設定画面５１を開く。設定画面５１には、従来から通常見られるプリンタ名称５１ａ，“プロパティ”５１ｂ，“印刷範囲”５１ｃ，“印刷部数”５１ｄ，“キャンセル”５１ｅ，“ＯＫ”５１ｆに加えて、印刷すべき画像情報の重要度を設定する“重要度設定”５１ｇが設けられている。
【００４１】
ユーザは、上記の“重要度設定”５１ｇを使用して、印刷しようとする画像情報の重要度を指定する。ここでは、重要度がＡからＦまでの６ランクに分けられているが、重要度の区分は適宜設定することができる。
重要度の指定情報は、画像情報（印刷データ）とともに画像形成装置に転送され、画像形成装置では、その重要度に応じた複写けん制情報を生成して画像情報に付与し、印刷出力を行う。
【００４２】
図６は、複写けん制情報の一例を示す図で、図中、７０は複写けん制情報である。複写けん制情報７０は、例えば、図６に示すような複数のドットが配置された図形として構成することができる。この複写けん制情報７０を複写機が検出することにより、複写機では複写そのものを禁止したり、複写が禁止または制限されていることを使用者に警告する警告情報を画像情報に重ねて複写画像を出力する。複写機が印刷出力する警告情報として、例えば“コピー禁止”という文字を印刷したり、紙幣等の複写禁止画像に対して“みほん”という文字を印刷するように設定することができる。
【００４３】
なお本実施形態では、上記の複写けん制情報を付与する画像形成装置は、その複写けん制情報が付与された画像情報を複写するときに、複写けん制情報に従って複写禁止や警告情報の付与等の処理を行う複写機の機能を併せ持つ複合機として構成されるが、これら複写けん制情報の付与機能を持つ画像形成装置と、複写けん制情報に従って複写禁止や警告情報の付与等の処理を行う複写機とをそれぞれ単独の装置として提供することもできる。
【００４４】
図７は、複写けん制情報の記録紙への配置例を示す図である。ここでは、図６に示すような形状の複写けん制情報７０を使用して、記録紙８０の周囲四辺の内側近傍にその複写けん制情報７０を印刷する。この例は比較的重要度が高い画像情報に対して適用されるもので、この場合、記録紙８０の周囲に複写けん制情報７０が配置されるため、その記録紙８０を複写機で複写しようとするときに、複写機ではいずれの方向からスキャンしてもただちに複写けん制情報７０が付与されていることを検出することができる。また、記録紙８０の各辺には、それぞれ３つの複写けん制情報７０が付与されているため、いずれかの複写けん制情報７０にごみ等の異物や汚れが付着してしまったような場合でも、複写機では確実に複写けん制情報７０を検出することができる。
【００４５】
図８は、複写けん制情報の記録紙への他の配置例を示す図である。本例も比較的重要度の高い画像情報に適用できるもので、複写けん制情報７０を記録紙８０の四角内側近傍に印刷する。この場合、記録紙８０の四角に複写けん制情報７０が配置されるため、その記録紙８０を複写機で複写しようとするときに、複写機ではいずれの方向からスキャンしてもただちに複写けん制情報７０が付与されていることを検出することができる。またこの場合は、記録紙８０が複写機の原稿載置台上の所定位置に対して斜めに置かれたような場合でも、スキャン実行時にただちに複写けん制情報を検出することができる。
【００４６】
図９は、複写けん制情報の記録紙への更に他の配置例を示す図である。本例は中程度の重要度の画像情報に適用できるもので、図７に示すごとくの複写けん制情報７０を記録紙８０の周囲四辺の内側近傍にそれぞれひとつずつ配置し、さらに、ユーザが認知可能な形状の他の複写けん制情報“Ｃｏｎｆｉｄｅｎｔｉａｌ”７１を原稿画像情報に重ねて印刷する。
このように本発明に適用する複写けん制情報としては、ユーザが複写けん制情報であることを認知できないような任意の形状で構成してもよく、また上記“Ｃｏｎｆｉｄｅｎｔｉａｌ”のようにユーザに複写が禁止または制限されていることを認知させるような形状としてもよく、またこれらを併用することもできる。
【００４７】
また、例えば重要度が低い画像情報については、上記のような複写けん制情報を、印刷画像のどこかに配置しておくことによって、画像情報に違和感を与えることなく印刷画像を形成することができるようになる。
【図面の簡単な説明】
【００４８】
【図１】本発明を適用可能なデジタル複写機の構成例を説明するための図である。
【図２】本発明を適用可能な画像形成装置に備えられる機能を説明するための図である。
【図３】複写けん制情報を画像情報に付与して画像形成するときの処理を概略的に説明するための図である。
【図４】画像形成装置における複写けん制情報の付加・印刷処理について説明するための図である。
【図５】プリンタドライバの設定画面例を示す図である。
【図６】複写けん制情報の一例を示す図である。
【図７】複写けん制情報の記録紙への配置例を示す図である。
【図８】複写けん制情報の記録紙への他の配置例を示す図である。
【図９】複写けん制情報の記録紙への更に他の配置例を示す図である。
【符号の説明】
【００４９】
１０…画像形成装置、１１…スキャナ部、１２…レーザープリンタ部、１３…搬送部、１４…後処理装置、１５…原稿載置台、１６…ＲＡＤＦ、２０…スキャナユニット、２０ａ，２０ｂ…走査ユニット、２１…ランプリフレクターアセンブリ、２２ａ，２２ｂ，２２ｃ…反射ミラー、２３…光学レンズ、２４…ＣＣＤ、２６…レーザー書き込みユニット、２７…電子写真プロセス部、２８…感光体ドラム、２９…定着器、３１，３２，３３…カセット給紙装置、３４…給紙装置、３５…再供給経路、３６…排紙ローラ、４１…パーソナルコンピュータ、４２…情報処理装置、４３…ファクシミリ装置、４４…ファクシミリ装置、５０…プリンタドライバの画面、５１…プリンタドライバの設定画面、６１…画像情報、６２…印刷画像、７０…複写けん制情報、８０…記録紙、１０１…制御部、１０２…画像読み取り部、１０３…操作部、１０４…画像形成部、１０５…画像メモリ、１０６…モデム部、１０７…通信部、１０８…ＲＯＭ、１０９…管理部、１１０…記憶部、Ｎ１…通信ネットワーク、Ｎ２…広域通信ネットワーク、Ｎ３…公衆回線網。
【図１】
2006287868.tif 000003
【図２】
2006287868.tif 000004
【図３】
2006287868.tif 000005
【図４】
2006287868.tif 000006
【図５】
2006287868.tif 000007
【図６】
2006287868.tif 000008
【図７】
2006287868.tif 000009
【図８】
2006287868.tif 000010
【図９】
2006287868.tif 000011